(57)【要約】【課題】人工芝表面の高温化を抑制する。【解決手段】長さ６５ｍｍ、太さ２ｍｍのポリエチレン製人工芝パイルをポリエチレンネットに編みこんだ人工芝の表面に白色塗料を塗布した。その人工芝のポリエチレンネットの底部から２０ｍｍの高さに砂を敷き、さらにその上に粒径３〜４ｍｍのゴムチップを２０ｍｍの高さで敷き詰めた。【特許請求の範囲】
【請求項１】
複数の人工芝パイルが表面全体に編みこまれた人工芝の表面温度高温化を抑制するために、少なくとも一部の前記人工芝パイルの表面に太陽光吸収を減少させる処理を施すことを特徴とする人工芝表面温度高温化抑制方法。
【請求項２】
前記処理は、表面を緑色よりも太陽光吸収の少ない色の塗膜で被覆することである請求項１に記載の人工芝表面温度高温化抑制方法。
【請求項３】
前記色は白色である請求項２に記載の人工芝表面温度高温化抑制方法。
【請求項４】
前記処理は高反射率の塗膜で被覆することである請求項１に記載の人工芝表面温度高温化抑制方法。
【請求項５】
複数の人工芝パイルが表面全体に編みこまれた人工芝の表面温度高温化を抑制するために、
前記人工芝パイルに太陽光吸収を減少させる物質を添加する人工芝表面温度高温化抑制方法。
【請求項６】
複数の人工芝パイルが表面全体に編みこまれた人工芝において、
緑色の人工芝パイルと太陽光吸収の少ない色の人工芝パイルが混合して編みこまれていることを特徴とする人工芝。
【請求項７】
太陽光吸収の少ない前記色は白色である請求項６に記載の人工芝。
【請求項８】
緑色の人工芝パイルと白色の人工芝パイルとが２：１の割合で編みこまれている請求項７に記載の人工芝。
【発明の詳細な説明】
【技術分野】
【０００１】
本発明は、複数の人工芝パイルが表面全体に編みこまれた人工芝に関し、特に人工芝の表面温度の上昇を抑制する方法及びその方法を適用した人工芝に関するものである。
【背景技術】
【０００２】
スポーツ競技施設では、人体の足腰への負荷を軽減する、又は天然芝を再現するといった目的で人工芝が用いられている。人工芝は、例えばゴルフコースを再現する際に、バンカーを再現する一部分に白色の人工芝シートを用いる場合がある（例えば、特許文献１を参照。）が、通常、人工芝施設の大部分に天然芝と同じ表面色が緑色の人工芝が使用されている。
【特許文献１】特開平６−４７１２２号公報
【発明の開示】
【発明が解決しようとする課題】
【０００３】
しかし、屋外に人工芝のスポーツ施設を設けると、表面色が緑色の人工芝は太陽光の吸収率が高いために、夏季にはその表面温度が６５℃近くまで上昇することがあった。人工芝の表面温度が高温になると、競技の快適性が阻害されるという問題がある。
そこで本発明は、人工芝表面の高温化を抑制することを目的とするものである。
【課題を解決するための手段】
【０００４】
本発明の第１の人工芝表面温度高温化抑制方法は、複数の人工芝パイルが表面全体に編みこまれた人工芝の表面温度の高温化を抑制するために、少なくとも一部の人工芝パイルの表面に太陽光吸収を減少させる処理を施すことを特徴とするものである。
【０００５】
太陽光吸収を減少させる処理の一例は、表面を緑色よりも太陽光吸収の少ない色の塗膜で被覆することである。
その場合の緑色よりも太陽光吸収の少ない色としては、種々の色を採用することができ、白に近いほど好ましく、極端な場合が全反射を示す白色である。
また、太陽光吸収を減少させる処理の他の例は、高反射率の塗膜で被覆することである。
【０００６】
本発明の第２の人工芝表面温度高温化抑制方法は、人工芝パイルに太陽光吸収を減少させる物質を添加することである。
【０００７】
本発明の人工芝は、複数の人工芝パイルが表面全体に、かつ緑色の人工芝パイルと緑色よりも太陽光吸収の少ない色の人工芝パイルが混合して編みこまれているものである。この場合も、種々の色を採用することができ、白に近いほど好ましく、極端な場合が全反射を示す白色である。
緑色の人工芝パイルと白色の人工芝パイルとの比率は、特に限定されるものではなく、白色の人工芝パイルの割合が多くなるほど温度上昇を抑制する効果が高くなる。その一例は、緑色の人工芝パイルと白色の人工芝パイルの比が２：１である。
【発明の効果】
【０００８】
本発明の第１の人工芝表面温度高温化抑制方法では、少なくとも一部の人工芝パイルの表面に太陽光吸収を減少させる処理を施すようにしたので、人工芝の太陽光吸収率が低減され、人工芝表面の高温化が抑制される。
【０００９】
太陽光吸収を減少させる処理として、表面を緑色よりも太陽光吸収の少ない色の塗膜で被覆するようにすれば、容易な処理で人工芝表面の高温化を抑制することができる。
人工芝パイルの表面を被覆する塗膜の色を白色にすれば、白色は最も光反射率の高い色であるので、さらに人工芝表面の高温化を抑制することができる。
人工芝パイルの表面を高反射率の塗膜で被覆するようにすれば、人工芝の太陽光吸収率が減少するので、表面温度の高温化を抑制することができる。
【００１０】
本発明の第２の人工芝表面温度高温化抑制方法では、人工芝パイルに太陽光吸収を減少させる物質を添加するようにしたので、表面温度の高温化を抑制することができる。
【００１１】
本発明の人工芝は、複数の人工芝パイルが表面全体に、かつ緑色の人工芝パイルと白色の人工芝パイルが混合して編みこまれているものであるので、表面全体の太陽光吸収率が低減され、表面温度の高温化が抑制される。
本発明の人工芝は、白色人工芝パイルの編みこまれている割合が高いほど表面温度の高温化を抑制する効果が向上するが、スポーツ競技施設のような従来の緑色の人工芝を基調に考えると、緑色の人工芝パイルと白色の人工芝パイルとを２：１程度の割合で編み込むことで、全ての人工芝パイルが緑色である場合よりもその表面温度の高温化を抑制することができるとともに、競技施設に与える違和感も少なくなる。
【発明を実施するための最良の形態】
【００１２】
対象とする人工芝は、樹脂製ネットに人工芝パイルが編みこまれて作製されたものである。人工芝パイルの素材としては、ポリエチレン、ポリプロピレン、ナイロン、ポリエチレンテレフタレートなどがある。
測定で用いた人工芝は、太さ２ｍｍのポリエチレン製人工芝パイルを密度約３６本／ｃｍ2、長さが６５ｍｍとなるようにポリエチレンネットに編みこんで製作したものである。測定時は、ポリエチレンネットの底部から２０ｍｍの高さに砂を敷き、さらにその上に粒径３〜４ｍｍのゴムチップを２０ｍｍの高さで敷き詰めた。表面温度は赤外温度測定の方法により測定し、光反射率はアルベド測定装置（クリマテック社の製品）を用いて測定した。いずれも人工芝の表面から５０ｃｍの位置で測定した。「アルベド」とは、外部からの入射光エネルギー（この場合は太陽光の入射エネルギー）に対する反射光エネルギーの比をいう。
【００１３】
（実施例１）
通常の人工芝の色は緑色であるが、その人工芝の表面に太陽光吸収を減少させる処理として太陽光反射率の高い塗料を表面に塗布した。塗料としては、水性塗料は定着しにくいので油性塗料の使用が望ましい。使用した塗料はアサヒペン社製油性カラースプレーであり、白色が８５番、黒色が８８番である。
【００１４】
表1に白色塗料塗布、無処理(緑色)、黒色塗料塗布を施した人工芝パイルを使用した人工芝の表面温度と太陽光反射率を示した。
【００１５】
【表１】
2007154623.tif 000002
【００１６】
表１に示されるように、表面色が太陽光反射率の最も高い白色の人工芝の表面温度は、白色よりも太陽光反射率の低い通常の緑色の人工芝の表面温度に比べて５.２℃低下していた。また、表面色が緑色よりもさらに太陽光反射率の低い黒色の人工芝の表面温度は緑色人工芝よりもさらに高温になっていた。この結果から、人工芝の表面の太陽光吸収を減少させることにより、人工芝の表面温度の高温化を抑制できることがわかった。そして、その手段として、人工芝の表面を太陽光吸収を減少させる色、例えば白色又はそれに近い色などにすることが有効であることがわかった。
【００１７】
全体を均一な色彩の人工芝とする実施例１において、塗料を塗布するのに替えて、次の実施例２で使用するような顔料を添加して着色した人工芝パイルを使用して編んで人工芝としたものであってもよい。
【００１８】
（実施例２）
人工芝パイルの素材に白色顔料を添加して製造された白色人工芝パイルと、通常の緑色人工芝パイルとを混合して編みこんで混合パイル人工芝を製作し、布設した。敷設した広さは１００ｍ×１２０ｍである。混合の割合は任意に温度上昇抑制の程度や色彩的に要望に応じて適宜選択すればよいが、ここでは白色人工芝パイルと緑色人工芝パイルとの比率が１：２の割合になるようにした。この混合パイル人工芝と通常の緑色人工芝を用いて表面温度測定を行ったところ、混合パイル人工芝は緑色人工芝に比べて表面温度が２．８℃程度低かった。このように、顔料として太陽光吸収を減少させる物質が添加された人工芝パイルと通常の緑色人工芝パイルを混合して編みこんで人工芝を製作すれば、従来の緑色パイル人工芝よりも表面温度の高温化が抑制される。そして、顔料として太陽光吸収を減少させる物質が添加された人工芝パイルの編みこみ比率を大きくすれば、更なる表面温度高温化を抑制する効果を得ることができる。人工芝パイルの顔料は白色に近いほど、表面温度高温化の抑制の効果が大きくなる。
【００１９】
白色人工芝を用いてゴルフ場のバンカー部分を形成したり、スポーツコートのラインを形成したりすることは行なわれているが、それらは白色人工芝を施設のごく一部分にのみ用いるだけである。そのため、白色人工芝による温度上昇に及ぼす影響については全く注意は払われていなかったし、実際に温度上昇に及ぼす影響はなかったといってもよい。それに対し、本発明では、白色など太陽光吸収を減少させる色の人工芝の施設全体又は広い面積に積極的に用いることで、人工芝表面全体の太陽光吸収を減少させ、人工芝全体の表面の温度上昇を抑制するようにしている。
【００２０】
（実施例３）
人工芝の表面に光沢剤としてアサヒペン社製ニススプレー又はアスペン社製ラッカースプレーを塗布した緑色人工芝と、無処理の緑色人工芝との表面温度の比較を行なった。表面に光沢剤が塗布された人工芝の表面温度は無処理の緑色人工芝よりも高温化が抑制されていることがわかった。
【００２１】
このことから、表面に例えば白色など太陽光吸収を減少させる色の塗料が塗布された人工芝や、顔料として太陽光吸収を減少させる物質が添加された人工芝パイルを用いて製作された人工芝の表面に、さらに光沢剤など太陽光反射率を高める塗膜で被覆すれば、人工芝の表面温度高温化抑制の効果をさらに高めることができる。
【００２２】
本明細書中に記載されている人工芝パイル、人工芝パイルを編みこむネットなどの材質やサイズ、人工芝パイルの表面に塗布する塗料などはほんの一例であり、種々の材質からなるものであってもよい。
【産業上の利用可能性】
【００２３】
本発明の人工芝は、サッカー、フットサル、野球、陸上競技、テニスなど主に屋外で行われる種々の競技において、競技の快適性を向上させるものとして利用することができる。